(57)【要約】      （修正有）【課題】トレーサビリティに必要な製造情報を読み取る収集機器や対象となる製造情報の種類に変更が生じても容易にトレーサビリティシステムが構築できる製造情報収集装置を提供する。【解決手段】製造情報収集部１１０はトレーサビリティに必要な製造現場の製造情報を各種収集機器２００〜６００を使って読み取り、製造情報収集解析振分部１２０に送信する。製造情報収集解析振分部１２０は製造情報属性定義テーブルを参照し、製造情報属性を判定し、製造情報管理部１５０を介してＤＢ１６０に製造情報を保持する。工程完了の場合は工程単位情報紐付け部１３０は製造情報送信部１４０に完了を通知し、これを受けて他の情報処理部７００に工程単位の製造情報を送信する。収集機器や対象となる製造情報の種類が変更となった場合でも製造情報属性定義テーブルの内容変更や収集機能の追加だけで対応が可能。【選択図】図１
2011018260.tif 000002
【特許請求の範囲】
【請求項１】
製造現場の製造情報を収集する各種収集機器から製造情報を収集する製造情報収集手段と、
前記製造情報収集手段から受け取った製造情報ａと予め定義された製造情報属性定義テーブルとから判断して新たに製造情報ｂと製造情報ｃと作業指示情報に振分ける製造情報収集解析振分手段と、
前記製造情報収集解析振分手段から受け取った前記製造情報ｂをデータベースに記録する製造情報管理手段と、
作業工程完了後に前記製造情報収集解析振分手段から受け取った前記製造情報ｃを基に前記データベースに記録されている前記製造情報ｂと予め定義された製造情報属性定義テーブルとから作業工程内における製造情報ｄとして作業工程と前記製造情報ｂを紐付ける工程単位情報紐付け管理手段と、
前記工程単位情報紐付け管理手段から受け取った前記製造情報ｄを他の情報処理部に送信する製造情報送信手段と、
で構成することを特徴とする製造情報収集装置。
【請求項２】
前記製造情報収集解析振分手段は、前記製造情報ａと予め定義された前記製造情報属性定義テーブルとから判断してトリガ定義有りで前記製造情報ａが作業指示情報の場合には、製造情報収集手段に前記作業指示情報を送信することで製造情報を収集することを特徴とする請求項１記載の製造情報収集装置。
【請求項３】
前記製造情報属性定義テーブルの情報は、工程名または工程識別番号の少なくともどちらかを含む情報、さらに製造情報名および製造情報識別番号を含む情報、収集機器名または収集機器識別名の少なくともどちらかを含む情報、とが関連付けて定義され、さらに製造情報を収集するためにトリガが必要な場合にはトリガを与える収集機器と製造情報を収集する収集機器が紐付き定義されている請求項１または２記載の製造情報収集装置。
【請求項４】
前記工程単位情報紐付け管理手段は、前記製造情報ｃを基に前記データベースに記録されている前記製造情報ｂと、前記属性定義テーブルの工程名または工程識別番号の少なくともどちらかを含む情報と、を紐付けて、前記製造情報ｄとして前記製造情報送信手段に送信する請求項１〜３記載のいずれかの製造情報収集装置。
【請求項５】
製造現場の製造情報を収集する各種収集機器から製造情報を収集する製造情報収集手段と、
前記製造情報収集手段から受け取った製造情報ａと予め定義された製造情報属性定義テーブルとから判断して新たに製造情報ｂと製造情報ｃと作業指示情報に振分ける製造情報収集解析振分手段と、
前記製造情報収集解析振分手段から受け取った前記製造情報ｂをデータベースに記録する製造情報管理手段と、
作業工程完了後に前記製造情報収集解析振分手段から受け取った前記製造情報ｃを基に前記データベースに記録されている前記第製造情報ｂと予め定義された製造情報属性定義テーブルとから作業工程内における製造情報ｄとして作業工程と前記製造情報ｂを紐付ける工程単位情報紐付け管理手段と、
前記工程単位情報紐付け管理手段から受け取った前記製造情報ｄを他の情報処理部に送信する製造情報送信手段と、
で構成され、
前記製造情報収集解析振分手段は、前記製造情報ａと予め定義された前記製造情報属性定義テーブルとから判断してトリガ定義有りで前記製造情報ａが作業指示情報の場合には、前記製造情報収集手段に前記作業指示情報を送信することで製造情報を収集し、
前記製造情報属性定義テーブルの情報は、工程名または工程識別番号の少なくともどちらかを含む情報、さらに製造情報名および製造情報識別番号を含む情報、収集機器名または収集機器識別名の少なくともどちらかを含む情報、とが関連付けて定義され、さらに製造情報を収集するためにトリガが必要な場合にはトリガを与える収集機器と製造情報を収集する収集機器が紐付き定義され、
前記工程単位情報紐付け管理手段は、前記製造情報ｃを基に前記データベースに記録されている前記製造情報ｂと、前記属性定義テーブルの工程名または工程識別番号の少なくともどちらかを含む情報と、を紐付けて、前記製造情報ｄとして前記製造情報送信手段に送信することを特徴とする製造情報収集装置。
【請求項６】
製造現場の製造情報を収集する各種収集機器から製造情報を読み取る製造情報収集工程と、
前記製造情報収集工程から受け取った前記製造情報ａと前記製造情報属性定義テーブルを参照し、
（１）トリガ定義有りで作業着手の場合と、
（２）トリガ定義無しの場合と、
（３）トリガ定義有りで作業完了の場合と、
で処理を振り分ける製造情報収集解析振分工程と、
（１）の場合には、製造情報ｂをデータベースに記録する製造情報管理工程と、作業指示情報を製造情報収集工程に送信する工程と、前記作業指示情報を受け取ったタイミングで製造情報を収集する製造情報収集工程と、
（２）の場合には、製造情報ｂを前記データベースに記録する製造情報管理工程と、
（３）の場合には、前記製造情報ｂを前記データベースに記録する製造情報管理工程と、前記製造情報収集解析振分工程から受け取った前記製造情報ｃと製造情報ｂおよび前記製造情報属性定義テーブルを参照し、工程単位に紐付け製造情報ｄとする工程単位情報紐付け工程と、
前記工程単位情報紐付け工程から受け取った前記製造情報ｄを他の情報処理部に送信する製造情報送信工程と、
を備えることを特徴とする製造情報収集方法。
【発明の詳細な説明】
【技術分野】
【０００１】
本発明は、複数の作業工程を経て製品が製造されるまでの間に複数の作業工程から製造情報を収集する製造情報収集装置および方法に関するものである。
【背景技術】
【０００２】
近年、製品のトレーサビリティに対する要求が高まり、製造現場においても製品を構成する部品とそれらの製造/品質情報を関連付けて履歴管理し、不具合発生時の迅速な対応（１次的/恒久の対策）のために不具合が影響する部品ロット番号または製品ロット番号および不具合原因の特定が図れるトレーサビリティシステムが要求されている。
【０００３】
工場では、このようなトレーサビリティで必要となる製造情報を、バーコードリーダーを中心にした機器を用いて収集している。その他にも収集機器としてハンディターミナル、タッチパネル、温湿度計、タッチパネル（パソコン）、キーボード（パソコン）、ＯＣＲ、デジタルペン、携帯電話／ＰＤＡ、カメラ、ヘッドフォンマイクなど多岐にわたる収集機器があり、工場および作業工程にあわせた機種選定が可能になってきている。加えて最近では、ＲＦＩＤリーダ/ライタを用いた製造情報の収集も行われるようになってきた。
【０００４】
しかしながら、これらの収集機器を開発するメーカーは多岐にわたり、収集インタフェースが統一されていないため、収集ロジックを作業工程にあわせて最初から開発しなければならなかった。また、収集機器間の製造情報を作業工程と関連付けて収集したい場合、使用する収集機器間での連携ロジックを開発する必要があった。
【０００５】
下記特許文献１では、製作品情報入力端末よりトレーサビリティ情報を入力し、製作品情報と紐付けてデータベースで管理する方法が提案されている。
【先行技術文献】
【特許文献】
【０００６】
【特許文献１】特開２００７−１９３５２５号公報
【発明の概要】
【発明が解決しようとする課題】
【０００７】
上述した特許文献１に記載された従来技術は、以下のような課題がある。
特許文献１では、製作品情報入力端末に接続されたキーボード、表示機器、バーコードリーダー、バーコードプリンタによる情報収集の実施例が記載されている。この方法では、各収集機器と収集機器から読み取る製造情報との対応関係を統一された仕様に基づいて定義していないため、担当する開発者の判断によって収集する製造情報を読み取る収集機器が個別に決められる。このため収集機器毎の収集情報に関して整合性が保たれない、あるいは機能拡張が容易に行えない、という問題が発生する。
【０００８】
本発明は、上記課題を解決するためになされたものであり、その目的とするところは、各収集機器から収集される製造情報のインターフェース統一と製造情報属性定義により、製造情報の紐付けを可能とする製造情報収集装置および方法を提供するものである。
【課題を解決するための手段】
【０００９】
上記課題を解決するために本発明の製造情報収集装置は、製造現場の製造情報を収集する各種収集機器から製造情報を収集する製造情報収集手段と、前記製造情報収集手段から受け取った製造情報ａと予め定義された製造情報属性定義テーブルとから判断して新たに製造情報ｂと製造情報ｃと作業指示情報に振分ける製造情報収集解析振分手段と、前記製造情報収集解析振分手段から受け取った前記製造情報ｂをデータベースに記録する製造情報管理手段と、作業工程完了後に前記製造情報収集解析振分手段から受け取った前記製造情報ｃを基に前記データベースに記録されている前記製造情報ｂと予め定義された製造情報属性定義テーブルとから作業工程内における製造情報ｄとして作業工程と前記製造情報ｂを紐付ける工程単位情報紐付け管理手段と、前記工程単位情報紐付け管理手段から受け取った前記製造情報ｄを他の情報処理部に送信する製造情報送信手段とで構成する。
【００１０】
また、好適には、本発明の製造情報収集装置は、前記製造情報収集解析振分手段が、前記製造情報ａと予め定義された製造情報の前記属性定義テーブルとから判断してトリガ定義有りで前記製造情報ａが作業指示情報の場合には、前記製造情報収集手段に前記作業指示情報を送信することで製造情報を収集することが望ましい。
【００１１】
また、好適には、本発明の製造情報収集装置は、前記製造情報属性定義テーブルの情報が、工程名または工程識別番号の少なくともどちらかを含む情報、さらに製造情報名および製造情報識別番号を含む情報、収集機器名または収集機器識別名の少なくともどちらかを含む情報と、が関連付けて定義され、さらに製造情報を収集するためにトリガが必要な場合にはトリガを与える収集機器と製造情報を収集する収集機器が紐付き定義されていることが望ましい。
【００１２】
また、好適には、本発明の製造情報収集装置は、前記工程単位情報紐付け管理手段が、前記製造情報ｃを基に前記データベースに記録されている前記製造情報ｂと、前記製造情報属性定義テーブルの工程名または工程識別番号の少なくともどちらかを含む情報と、を紐付けて、前記製造情報ｄとして前記製造情報送信手段に送信することが望ましい。
【００１３】
本発明の製造情報収集方法は、製造現場の製造情報を収集する各種収集機器から製造情報を読み取る製造情報収集工程と、前記製造情報収集工程から受け取った前記製造情報ａと前記製造情報属性定義テーブルを参照し、（１）トリガ定義有りで作業着手の場合と、（２）トリガ定義無しの場合と、（３）トリガ定義有りで作業完了の場合と、で処理を振り分ける製造情報収集解析振分工程と、（１）の場合には、製造情報ｂをデータベースに記録する製造情報管理工程と、作業指示情報を製造情報収集工程に送信する工程と、前記作業指示情報を受け取ったタイミングで製造情報を収集する製造情報収集工程と、（２）の場合には、製造情報ｂを前記データベースに記録する製造情報管理工程と、（３）の場合には、前記製造情報ｂを前記データベースに記録する製造情報管理工程と、前記製造情報収集解析振分工程から受け取った前記製造情報ｃと製造情報ｂおよび前記製造情報属性定義テーブルを参照し、工程単位に紐付け製造情報ｄとする工程単位情報紐付け工程と、
前記工程単位情報紐付け工程から受け取った前記製造情報ｄを他の情報処理部に送信する製造情報送信工程と、を備える。
【発明の効果】
【００１４】
本発明の製造情報収集装置によれば、収集ロジックがすでに作成されている既存の収集機器において、作業工程の収集機器を追加・変更・削除したい場合、製造情報属性定義テーブル上の属性定義を変更するだけで対応可能であり、トレーサビリティシステムの変更に要する工数を低減できる、という効果が得られる。
【図面の簡単な説明】
【００１５】
【図１】本発明の実施形態に係る製造情報収集装置の構成と接続機器を示す図である。
【図２】本発明の実施形態に係る製造情報収集装置の処理フローである。
【図３】本発明の実施形態に係る製造情報収集装置の機器情報テーブル例を示す図である。
【図４】本発明の実施形態に係る製造情報収集装置の製造情報属性定義テーブル例１を示す図である。
【図５】本発明の実施形態に係る製造情報管理ＤＢの構成例を示す図である。
【図６】本発明の実施形態に係る他の情報処理機能に送信する情報例を示す図である。
【図７】本発明の実施形態に係る製造情報収集装置の製造情報属性定義テーブル例２を示す図である。
【図８】本発明の実施形態に係る製造情報収集装置の製造情報属性定義テーブル例３を示す図である。
【発明を実施するための形態】
【００１６】
以下、本発明の一実施形態を説明する。初めに本発明の実施形態に係るそれぞれの図の説明を行い、さらに具体的には図２の処理フローに従い、図４の製造情報属性テーブルを用いた形態の実施例を説明する。
【００１７】
は、本発明における製造情報収集装置の構成と接続機器を示す図である。
製造情報収集装置１００のハードウェアは、ＣＰＵ(Central Processing Unit)、ＲＡＭ(Random Access Memory)などの主メモリ、ハードディスク装置などからなり、キーボード、ＬＣＤ（Liquid Crystal Display）表示装置などを備えたコンピュータ装置（パソコン）となっている（図示せず）。また本製造情報収集装置１００はイーサネット(登録商標）などのネットワークで他の情報処理コンピュータ７００と接続されている。さらに各種収集機器(２００〜６００)とはアクセス可能なインターフェース(１１１〜１１５)を備えている。
【００１８】
また本製造情報収集装置１００の機能は、現場の製造情報を収集する各機器に対応したモジュール名を本製造情報収集装置１００に組み込む収集機器管理部１８０、現場の製造情報を各種収集機器(２００〜６００)から収集し、製造情報収集解析振分部１２０に製造情報ａとして受け渡す製造情報収集部１１０、製造情報ａと製造情報属性定義テーブル１７０により解析及び振分を行う製造情報収集解析振分部１２０、製造情報収集解析振分部１２０から受け取った製造情報ｂを製造情報管理ＤＢ１６０に記録する製造情報管理部１５０、製造情報収集解析振分部１２０から受け取った製造情報ｃと製造情報属性定義テーブル１７０および製造情報管理ＤＢ１６０の情報により、製造情報ｄとして工程内における製造情報として紐付け製造情報送信部１４０に受け渡す工程単位情報紐付け部１３０、他の情報処理部７００に製造情報ｄを送信する製造情報送信部１４０とで構成されている。これらの機能は、前記ＣＰＵが前記主メモリにロードされている所定のプログラムを実行することによって実現される。
【００１９】
製造情報収集解析振分部１２０についてさらに説明する。製造情報収集解析振分部１２０は、製造情報属性により３つの処理に振り分けている。一つ目の処理は製造情報ａを受け取ったときに、収集すべき製造情報属性を読み取り、製造情報収集部に製造情報の収集を依頼する。二つ目の処理は、製造情報ａを受け取ったときに、付帯情報を付けて製造情報管理部にデータベースへの記録を依頼する。三つ目の処理は、製造情報ａを受け取ったときに、工程の完了を読み取り、工程単位に情報を紐付ける工程単位情報紐付け部に処理を依頼する。これにより製造情報属性の変更（収集機器、収集タイミング、製造情報の種類などの変更）にたいしてシステム変更が容易となっている。
【００２０】
また、本製造情報収集装置１００が現場の製造情報を収集するための機器としては、無線通信が可能なＲＦＩＤリーダ・ライタ２００とハンディターミナル３００、製造情報収集装置１００に接続されたタッチパネル４００、及び周辺機器の温度や湿度を計測する温湿度計５００、装置の状態を計測するＩ／Ｏ装置(入出力装置)を用いるものとする。
【００２１】
また収集機器が読み取る製造情報として具体的には、ハンディターミナル３００では工程名、製造情報ＩＤ、開始の作業指示番号、終了の作業指示番号、作業者ＩＤ、部品のロット番号を読み取る。製造情報収集装置１００に接続されたッチパネル４００でも工程名、製造情報ＩＤ、部品のロット番号を入力できる。作業指示番号を読み取ったタイミングで温湿度計５００で温度と湿度を収集する。ＲＦＩＤリーダ・ライタ２００はハンディターミナル３００と同様に工程名、製造情報ＩＤ、開始の作業指示番号、終了の作業指示番号、作業者ＩＤ、部品のロット番号を読み取ることができる。Ｉ／Ｏ装置(入出力装置)は工程設備に付帯する機器の稼動、停止情報を読み取ることができる。
【００２２】
図２は、本発明の実施形態に係る製造情報収集装置の処理フローである。図２に示す処理フローに従って、本発明における製造情報収集装置の処理について説明する。
【００２３】
製造情報収集部１１０は各種収集機器から製造現場の製造情報を読み取る（ステップＳ１１）。さらに製造情報収集部１１０は製造情報収集解析振分部１２０に製造情報ａを送信する（ステップＳ１２）。
【００２４】
製造情報収集解析振分部１２０は製造情報ａと収集情報属性定義テーブル１７０を参照し（ステップＳ１３）、（１）トリガ定義有りで作業着手の場合と、（２）トリガ定義無しの場合と、（３）トリガ定義有りで作業完了の場合と、で処理を振り分ける（ステップＳ１４、１５）。
【００２５】
（１）の場合は、製造情報収集解析振分部１２０が製造情報管理部１５０を介して製造情報ｂをデータベースに記録し（ステップＳ１６）、製造情報収集部１１０に作業指示情報を送信する（ステップＳ１７）。製造情報収集部１１０は作業指示情報を受け取ったタイミングで製造情報を収集する（ステップＳ１８）。
【００２６】
（２）の場合は、製造情報収集解析振分部が製造情報管理部を介して製造情報ｂを製造情報管理ＤＢに記録する（ステップＳ１９）。
【００２７】
（３）の場合は、製造情報収集解析振分部が製造情報管理部を介して製造情報ｂを製造情報管理ＤＢに記録する（ステップＳ２１）し、工程単位紐付け部に製造情報ｃを通知する。工程単位紐付け部は製造情報ｃと収集情報属性定義テーブルおよび製造情報管理ＤＢを参照し、製造情報ｄを完了通知として製造情報送信部に送信する（ステップＳ２２）。さらに製造情報送信部１４０は製造情報ｄを他の情報処理部７００に送信する（ステップＳ２３）。
【００２８】
図３は、本発明の実施形態に係る製造情報収集装置の機器情報テーブル例を示す図である。図３に示す機器情報テーブルは、製造情報を収集する機器名とモジュール名が対応付けて定義されている。ここでは、機器名（ハンディターミナル、タッチパネル、湿温計）がモジュール名（Ｈａｎｄｙ、Ｔｏｕｃｈｐａｎｅｌ、Ｔｈｅｍｏｍｅｔｅｒ）に対応付けられている。製造情報収集装置１００内で動作する所定のプログラムは機器情報テーブルを参照し、当該機器名に対応するモジュール名に変換して所定の処理を実施する。
収集機器が追加となった場合は、図３に示す機器情報テーブルに新たな機器名とモジュール名を追加登録することで製造情報管理部１８０に対象機器が組み込まれる。
【００２９】
図４は、本発明の実施形態に係る製造情報収集装置の製造情報属性定義テーブル例１を示す図である。図４に示すように、製造情報属性定義テーブルには、工程名（組立１）、工程ＩＤ（Ｐ００１）、製造情報名（作業指示番号、作業者ＩＤ、部品ロット番号、温度、湿度）、収集機器モジュール名（Ｈａｎｄｙ、Ｔｏｕｃｈｐａｎｅｌ、Ｔｈｅｍｏｍｅｔｅｒ）、トリガ定義（１、０）、紐付けモジュール名（Ｔｈｅｍｏｍｅｔｅｒ）が定義されている。
【００３０】
ここでは、収集機器としてハンディターミナルを使って開始または完了の作業指示番号を読み込む定義となっている。さらに、トリガ定義が１（トリガ有り）で紐付けモジュール名がＴｈｅｍｏｍｅｔｅｒとなっていることより開始の作業指示番号を読み込んだタイミングで温湿計の製造情報を収集開始することを意味する（完了の作業指示番号を読み込だときは収集完了）。また、温湿計は製造情報ＩＤのＭ００５、Ｍ００６に対応していることより、収集機器が温湿計であり、対象の製造情報は湿度、温度であることが判る。また、製造情報ＩＤのＭ００２〜Ｍ００４に対応するトリガ定義が０（トリガ無し）となっている製造情報は対応する収集機器で読み込むことを意味する。
【００３１】
また、製造情報ＩＤのＭ００２〜Ｍ００４に対応する製造情報名の読み込み順番は特に決める必要はないが、好ましくは、初めに開始の作業指示番号を読み込んだ後、次に作業者ＩＤを読み込み、作業者の確認をするのが良い。
【００３２】
図５はの実施形態に係る製造情報管理ＤＢの構成例を示す図である。図５に示す製造情報管理ＤＢは、作業開始タイミングで開始の作業指示番号（１６１）と開始時刻（１６２）が記録され、完了のタイミングで完了の作業指示番号（１６３）と完了時刻（１６４）、平均温度１６７、平均湿度（１６８）が記録される。部品ロット番号１（１６５）、部品ロット番号２（１６６）、その他は作業開始から完了までの間で読み込む度に記録される。この作業開始から完了までの作業指示単位を１レコードとしてデータベース管理する。
【００３３】
図６は、本発明の実施形態に係る他の情報処理部に送信する情報例を示す図である。図６は、工程単位情報紐付け部が情報処理機部に送信する情報であり製造情報ｄになる。
工程単位情報紐付け部は、製造情報ｃと図４の製造情報属性定義テーブル及び図５の製造情報管理ＤＢから工程ＩＤ、作業指示番号、作業開始時刻、作業完了時刻、部品ロット番号１、部品ロット番号２、平均温度、平均湿度、その他の情報を情報処理部に送信する。
【００３４】
さらに具体的な実施例として図２の処理フローに従い、図４の製造情報属性テーブルを用いた形態について説明する。以下の説明に使う開始の作業指示番号および完了の指示番号は、指示番号の先頭に開始であれば「Ｓ−」、終了であれば「Ｅ−」を付けて識別している。また、図４にある作業者ＩＤについては後述する部品ロット番号の処理フローと同じであるため、説明を省略している。
【００３５】
はじめに作業者がトリガを与える収集機器であるハンディターミナル３００で作業着手のために製造情報として工程名「組立１」と開始の作業指示番号「Ｓ−Ｗ００１」および製造情報ＩＤ「Ｍ００１」を読み取ると製造情報収集機能部１１０は、ハンディターミナルのインターフェースに従って情報を読み取る（ステップＳ１１）。さらに製造情報収集部１１０は製造情報収集解析振分部１２０に製造情報ａとして工程名「組立１」と開始の作業指示番号「Ｓ−Ｗ００１」と製造情報ＩＤ「Ｍ００１」を送信する（ステップＳ１２）。
【００３６】
製造情報収集解析振分部１２０は工程名「組立１」と製造情報ＩＤ「Ｍ００１」をキーとして製造情報属性定義テーブル１７０を参照し（ステップＳ１３）、トリガ定義有りで作業着手と判定し、製造情報管理部１５０を介して製造情報ｂとして開始の作業指示番号「Ｓ−Ｗ００１」と開始時刻「ＹＹ／ＭＭ／ＤＤ／ＨＨ／ＳＳ」を製造情報管理ＤＢ（図５参照）に記録する（ステップＳ１６）。
【００３７】
さらに製造情報収集解析振分部１２０は情報属性定義テーブル１７０からトリガを与える収集機器に紐付く製造情報を収集する収集機器に対応したモジュール名「Ｔｈｅｒｍｏｍｅｔｅｒ」と「温度」および「湿度」を読み取り、製造情報収集部１１０に開始の作業指示情報として開始の作業指示番号「Ｓ−Ｗ００１」とモジュール名「Ｔｈｅｒｍｏｍｅｔｅｒ」と「温度」および「湿度」を送信する（ステップＳ１７）。
【００３８】
製造情報収集部１１０は開始の作業指示情報を受け取ったタイミングで製造情報を収集する収集機器である温湿計から温度と湿度の計測データを定周期で収集し、平均値を算出する（ステップＳ１８）。
【００３９】
次に作業者がハンディターミナル３００で工程名「組立１」と部品ロット番号「Ｌ００１」および製造情報ＩＤ「Ｍ００３」を読み取ると、製造情報収集機能部１１０は、ハンディターミナルのインターフェースに従って情報を読み取る（ステップＳ１１）。さらに製造情報収集部１１０は製造情報収集解析振分部１２０に製造情報ａとして工程名「組立１」と開始の作業指示番号「Ｓ−Ｗ００１」と部品ロット番号「Ｌ００１」および製造情報ＩＤ「Ｍ００３」を送信する（ステップＳ１２）。
【００４０】
製造情報収集解析振分部１２０は工程名「組立１」と製造情報ＩＤ「Ｍ００３」をキーとして製造情報属性定義テーブル１７０を参照し（ステップＳ１３）、トリガ定義無しと判定し、製造情報管理部１５０を介して製造情報ｂとして部品ロット番号「Ｌ００１」を製造情報管理ＤＢ（図５参照）に記録する（ステップＳ１９）。
【００４１】
同様に作業者がタッチパネル４００で工程名「組立１」と部品のロット番号「Ｌ００２」と製造情報ＩＤ「Ｍ００４」を読み取ると、製造情報収集機能部１１０は、タッチパネルのインターフェースに従って情報を読み取る（ステップＳ１１）。さらに製造情報収集部１１０は製造情報収集解析振分部１２０に製造情報ａとして工程名「組立１」と開始の作業指示番号「Ｓ−Ｗ００１」と部品ロット番号「Ｌ００２」および製造情報ＩＤ「Ｍ００４」を送信する（ステップＳ１２）。
【００４２】
製造情報収集解析振分部１２０は工程名「組立１」と製造情報ＩＤ「Ｍ００４」をキーとして製造情報属性定義テーブル１７０を参照し（ステップＳ１３）、トリガ定義無しと判定し、製造情報管理部１５０を介して製造情報ｂとして部品ロット番号「Ｌ００２」を製造情報管理ＤＢ（図５参照）に記録する（ステップＳ１９）。また、タッチパネルで読み取る部品のロット番号はハンディターミナルで読み取る部品ロット番号と同じでも異なっていてもどちらでもかまわない。
【００４３】
最後に作業者がトリガを与える収集機器であるハンディターミナル３００で作業完了のために製造情報として工程名「組立１」と完了の作業指示番号「Ｅ−Ｗ００１」と製造情報ＩＤ「Ｍ００１」を読み取ると製造情報収集機能部１１０は、ハンディターミナルのインターフェースに従って情報を読み取る（ステップＳ１１）。さらに製造情報収集部１１０は製造情報収集解析振分部１２０に製造情報ａとして工程名「組立１」と完了の作業指示番号「Ｅ−Ｗ００１」と製造情報ＩＤ「Ｍ００１」および温湿計から温度と湿度の平均値「２０．０」「４０．０」を送信する（ステップＳ１２）。
【００４４】
製造情報収集解析振分部１２０は工程名「組立１」と「作業指示番号」と製造情報ＩＤ「Ｍ００１」をキーとして製造情報属性定義テーブル１７０を参照し（ステップＳ１３）、トリガ定義有りで作業完了と判定し、製造情報管理部１５０を介して製造情報ｂとして工程名「組立１」と作業指示番号「Ｅ−Ｗ００１」と完了時刻「ＹＹ／ＭＭ／ＤＤ／ＨＨ／ＳＳ」と温度の平均値「２０．０」および湿度の平均値「４０．０」を製造情報管理ＤＢ（図５参照）に記録する（ステップＳ２１）。さらに、製造情報収集解析振分部１２０は工程単位情報紐付け部１３０に製造情報ｃとして工程名「組立１」と完了の作業指示番号「Ｅ−Ｗ００１」および製造情報ＩＤ「Ｍ００１」を送信することで工程の完了を通知する。
【００４５】
次に工程単位情報紐付け部１３０は工程名「組立１」と製造情報ＩＤ「Ｍ００１」をキーとして製造情報属性定義テーブル（図４参照）を参照するとともに完了の作業指示番号「Ｅ−Ｗ００１」をキーとして製造情報管理部１５０を介して製造情報管理ＤＢの情報（図５参照）を参照し、製造情報ｄとして工程ＩＤ「Ｐ００１」、作業指示番号「Ｗ００１」、開始時刻「ＹＹ／ＭＭ／ＤＤ／ＨＨ／ＳＳ」、完了時刻「ＹＹ／ＭＭ／ＤＤ／ＨＨ／ＳＳ」、部品ロット番号１「Ｌ００１」、部品ロット番号２「Ｌ００２」、平均温度「２０．０」、平均湿度「４０．０」およびその他の情報を製造情報送信部に送信する（ステップＳ２２）。
【００４６】
製造情報送信部１４０は製造情報ｄ（図６参照）をネットワークで結ばれている他の情報処理部(情報処理コンピュータ)７００にＴＣＰ／ＩＰ通信などの通信手段で送信する（ステップＳ２３）。
【００４７】
図７は、本発明の実施形態に係る製造情報収集装置の製造情報属性定義テーブル例２を示す図である。既存の工程に、例えば、使用しているはんだコテNo.の収集を追加する場合
には、図７に示すようにはんだコテNo.に関する定義を一行追加することで、新たに製造情
報が追加できる。
【００４８】
図８は、本発明の実施形態に係る製造情報収集装置の製造情報属性定義テーブル例３を示す図である。また同じ製造情報を収集する組立２の作業工程を追加する場合には、図８に示すように定義を追加することで、新たに製造情報が追加できる。
【００４９】
また作業者の確認が必要な場合には、製造情報属性定義テーブル１７０に作業者ＩＤを追加しておき、ハンディターミナル３００で作業者ＩＤを読み取ったときに予めデータベースに登録されている許可すべき作業者ＩＤと比較することで確認できる（図示せず）。
【００５０】
以上に説明した実施形態においては、新しい機種（収集機器）を追加する場合は、統一化したインタフェースの収集処理を作成し、機器情報テーブルへの機器名とモジュール名の追加と製造情報属性定義テーブルへの属性定義の追加によって、対応が可能となり、システム変更に要する工数を低減できる、という効果が得られる。
【００５１】
さらに、システムの拡張に伴うシステムの安定性、工場のライン変更が容易に行えるなど、メンテナンス性が向上する、という効果も得られる。
【符号の説明】
【００５２】
１００  製造情報収集装置
１１０  製造情報収集部
１１１  ＲＦＩＤ  リーダ・ライタ情報インターフェース
１１２  ハンディターミナル情報インターフェース
１１３  タッチパネル情報インターフェース
１１４  温湿度計情報インターフェース
１１５  設備情報インターフェース
１２０  製造情報収集解析振分部
１３０  工程単位情報紐付け部
１４０  製造情報送信部
１５０  製造情報管理部
１６０  製造情報管理データベース
１６１  開始作業指示番号
１６２  開始時刻
１６３  完了作業指示番号
１６４  完了時刻
１６５  部品ロット番号１
１６６  部品ロット番号２
１６７  平均温度
１６８  平均湿度
１７０  製造情報属性定義テーブル
１８０  収集機器管理部
１９０  機器情報テーブル
２００  ＲＦＩＤ  リーダ・ライタ
３００  ハンディターミナル
４００  タッチパネル
５００  温湿度計
６００  Ｉ／Ｏ装置(入出力装置)
７００  他の情報処理部
【図１】
2011018260.tif 000003
【図２】
2011018260.tif 000004
【図３】
2011018260.tif 000005
【図４】
2011018260.tif 000006
【図５】
2011018260.tif 000007
【図６】
2011018260.tif 000008
【図７】
2011018260.tif 000009
【図８】
2011018260.tif 000010